(57)【要約】【課題】  従来、衣料用洗剤、台所用洗剤、毛髪用洗剤、身体用洗剤においては、目的とする被洗浄物の種類及び汚れの種類に応じた洗浄剤組成が確立され、いずれの洗浄剤においても主成分としては、起泡力、乳化力、可溶化力、分散力などの基本的界面活性能に優れたアニオン界面活性剤が主に使用されてきた。本発明は、起泡力、洗浄力、乳化力、可溶化力、分散力等の基本的界面活性能が要求される洗浄剤において、その成分にポリグリセリンアルキルエーテルを使用し、更にその界面活性能を増強させる目的でビルダーを配合し、具体的には起泡力、洗浄力の向上を目的とする。【解決手段】  ポリグリセリンアルキルエーテルを含有することにより上記課題を解決する。【選択図】  なし【特許請求の範囲】
【請求項１】
ポリグリセリンアルキルエーテルを含有することを特徴とする洗浄剤組成物。
【請求項２】
ポリグリセリンアルキルエーテルを構成するポリグリセリンの重合度が２〜３０である請求項１記載の洗浄剤組成物。
【請求項３】
ポリグリセリンアルキルエーテルを構成するアルキル基の炭素数が６〜２２であることを特徴とする請求項１または２記載の洗浄剤組成物。
【請求項４】
ビルダーを含有することを特徴とする請求項１〜３いずれか記載の洗浄剤組成物。
【請求項５】
ポリグリセリンアルキルエーテルが、１種または２種以上の混合物であることを特徴とする請求項１〜４いずれか記載の洗浄剤組成物。
【請求項６】
可溶化剤として１価乃至多価アルコール類、単糖類または２糖類を含有することを特徴とする請求項１〜５いずれか記載の洗浄剤組成物。
【請求項７】
使用用途が食品、食器または衣料である請求項１〜６いずれか記載の洗浄剤組成物。
【発明の詳細な説明】
【技術分野】
【０００１】
本発明は、起泡性、洗浄性に優れた食品、食器、衣料等の洗浄剤組成物に関する。
【背景技術】
【０００２】
従来、衣料用洗剤、台所用洗剤、毛髪用洗剤、身体用洗剤においては、目的とする被洗浄物の種類及び汚れの種類に応じた洗浄剤組成が確立され、いずれの洗浄剤においても主成分としては、起泡力、乳化力、可溶化力、分散力などの基本的界面活性能に優れたアニオン界面活性剤が主に使用されてきた。また、環境面への配慮から、主成分をアニオン活性剤からノニオン活性剤にシフトしようとする試みが積極的になされ、ポリオキシエチレンアルキルエ−テル、ポリオキシエチレン多価アルコール脂肪酸エステル、ポリオキシエチレンアルキルフェニルエーテル等の酸化エチレン系のノニオン界面活性剤が用いられている。更に衣料用洗剤ではアルカリ剤、キレートビルダー、蛍光剤、漂白剤、酵素等、台所用洗剤や毛髪用洗剤では脂肪酸アルカノールアミドやアルコールエトキシレート系ノニオン界面活性剤等が起泡力、洗浄力の観点から併用されてきた。
【０００３】
しかしこれらの界面活性剤や、また上記組み合わせでは、各成分の各性能における積算的結果と同等又はそれ以下にしか過ぎず、主成分の界面活性剤の能力を増大させる効果を期待するものではなかった。
【０００４】
洗浄剤組成物としては、糖系非イオン界面活性剤並びに糖残基及びカチオン性基を用いた低刺激かつクリーミィで良好な泡立ちを有する洗浄剤組成物が報告されている（例えば、特許文献１参照。）。また、特定リン酸エステル系界面活性剤と糖アルコール類と特定グリセリン誘導体を用いた起泡性、洗浄性を有する洗浄剤組成物が報告されている（例えば、特許文献２参照。）が、組成物の安定性や、充分な起泡性、洗浄性が得られなかった。
【０００５】
【特許文献１】特開平４−２１６８９８
【特許文献２】特開平６−２１２１９０
【発明の開示】
【発明が解決しようとする課題】
【０００６】
本発明は、起泡力、洗浄力、乳化力、可溶化力、分散力等の基本的界面活性能が要求される洗浄剤において、その成分にポリグリセリンアルキルエーテルを使用し、更にその界面活性能を増強させる目的でビルダーを配合し、具体的には起泡力、洗浄力の向上を目的とする。
【課題を解決するための手段】
【０００７】
本発明者らは上記の点に鑑み、鋭意検討の結果本発明に至った。即ち、本発明は、ポリグリセリンアルキルエーテルを含有することを特徴とすることで、食品、食器等の洗浄に適することを見出し、本発明に至ったものである。
【発明の効果】
【０００８】
本発明により従来の洗浄剤では不可能であった起泡力、洗浄力、乳化力、可溶化力、分散力等の界面活性能のある洗浄剤組成物の製造が可能となる。
【発明を実施するための最良の形態】
【０００９】
以下、詳細に本発明を説明する。
【００１０】
本発明のポリグリセリンアルキルエーテルのポリグリセリン重合度は、製造性、使用性の観点から好ましくは２〜２０、より好ましくは２〜１０である。また、構成する炭素数が６〜２２、よりこのましくは１０〜１４であるアルキル基を有することが、起泡力、洗浄力、乳化力、可溶化の観点から望ましい。また、アルキル鎖長は直鎖型、分岐型を問うものではないが、構成する洗浄剤組成物の性状より自由に選択することが望ましい。さらに、ポリグリセリンアルキルエーテルがポリグリセリンモノアルキルエーテルであることが、起泡力、洗浄力、乳化力、可溶化の観点から望ましい。
【００１１】
ポリグリセリンアルキルエーテルの製造方法としては、塩基性触媒の存在下、脂肪族アルコールに該アルコール／グリシドールの存在モル比が特定となるようにグリシドールを添加して反応させる方法、ポリグリセリンにα−オレフィンエポキシドを反応させることによって得られる方法、酸触媒もしくはアルカリ触媒の存在下でアルキルグリシジルエーテルをポリグリセリンを用いて開環させる方法等が挙げられるが特に限定されるものではない。また、活性炭や活性白土などにて吸着処理したり、水蒸気、窒素などをキャリアーガスとして用いて減圧下脱臭処理を行ったり、あるいは酸やアルカリを用いて洗浄を行ったり、分子蒸留を行ったりして精製してもよい。
【００１２】
このようにして得られるポリグリセリンアルキルエーテルはポリグリセリンモノアルキルエーテルとして好ましい例を挙げるとするならば、ジグリセリンモノオクチルエーテル、ジグリセリンモノデシルエーテル、ジグリセリンモノドデシルエーテル、ジグリセリンモノテトラデシルエーテル、トリグリセリンモノオクチルエーテル、トリグリセリンモノデシルエーテル、トリグリセリンモノドデシルエーテル、トリグリセリンモノテトラデシルエーテル、テトラグリセリンモノオクチルエーテル、テトラグリセリンモノデシルエーテル、テトラグリセリンモノドデシルエーテル、テトラグリセリンモノテトラデシルエーテル、ヘキサグリセリンモノオクチルエーテル、ヘキサグリセリンモノデシルエーテル、ヘキサグリセリンモノドデシルエーテル、ヘキサグリセリンモノテトラデシルエーテル、オクタグリセリンモノオクチルエーテル、オクタグリセリンモノデシルエーテル、オクタグリセリンモノドデシルエーテル、オクタグリセリンモノテトラデシルエーテル、デカグリセリンモノオクチルエーテル、デカグリセリンモノデシルエーテル、デカグリセリンモノドデシルエーテル、デカグリセリンモノテトラデシルエーテル、エイコサグリセリンモノオクチルエーテル、エイコサグリセリンモノデシルエーテル、エイコサグリセリンモノドデシルエーテル、エイコサグリセリンモノテトラデシルエーテル等が挙げられるが、特に好ましくはジグリセリンモノドデシルエーテル、トリグリセリンモノドデシルエーテル、テトラグリセリンモノドデシルエーテル、ヘキサグリセリンモノドデシルエーテル、オクタグリセリンモノドデシルエーテル、デカグリセリンモノドデシルエーテルである。
【００１３】
ポリグリセリンアルキルエーテルは、１種又は２種以上を組合わせて用いることができ、洗浄剤組成物中の割合は特に限定するものではないが通常、０．０１〜５０重量部、好ましくは０．１〜３５重量部、特に好ましくは０．５〜２０重量部配合される。０．０１重量部未満では十分な泡立ちや感触改良効果が得られず、５０重量部を超えると組成物の粘度等の問題から調製が困難であり、また使用感に劣る。
【００１４】
本発明の洗浄剤組成物には、アニオン界面活性剤、両性界面活性剤、ポリグリセリンアルキルエール以外の非イオン性界面活性剤を配合することができ、泡立ち等の性能をより向上させることができるので好ましい。これらのうち、通常、食品、食器、衣料用等に使用しているものであれば特に制限されるものではないが、例えばアニオン界面活性剤としては、ポリオキシエチレンアルキル硫酸塩、アルキル硫酸塩等の硫酸エステル型アニオン界面活性剤、アルキルベンゼンスルホン酸塩、オレフィンスルホン酸塩、アルカンスルホン酸塩、αスルホ脂肪酸塩等のスルホネート型アニオン界面活性剤、アルキレンオキサイド付加アルキルまたはアルケニルエーテル硫酸塩、脂肪酸塩、等が挙げられる。
【００１５】
両性界面活性剤としては、例えば、アルキルベタイン、アルキルヒドロキシスルホベタイン、アルキルアミドベタイン、イミダゾリニウムベタイン、Ｎ−アルキルアミノ酸等が挙げられるが、これらに限定されるものではない。
非イオン界面活性剤としては例えば、脂肪酸アルカノールアミド、ポリオキシエチレンアルキルエーテル、ソルビタン脂肪酸エステル、ポリオキシエチレンアシルエステル、アルキルポリグリコシド、脂肪酸グリコシドエステル、脂肪酸メチルグリコシドエステル、アルキルメチルグルカミド等が挙げられるが、これらに限定されるものではない。
【００１６】
アニオン界面活性剤、両性界面活性剤及び非イオン性界面活性剤から選ばれる１種又は２種以上を組合わせて用いることができ、洗浄剤組成物中に０．１〜３０重量部配合するのが好ましく、特に０．５〜２５重量部、更に０．８〜２０重量部配合すると、泡立ちや肌感触がより向上するので好ましい。
【００１７】
本発明の洗浄剤組成物には、前記成分のほか、通常の洗浄剤組成物に用いられる成分、例えばアニオン性、ノニオン性、カチオン性ポリマー等の粘度調整剤；ポリオール類等の保湿成分；アマイド、脂肪酸等の増泡剤；その他防腐剤、スクワラン、ホホバ油、オリーブ油、高級アルコール、ラノリン、エステル、シリコーン等の油分、水溶性高分子、ｐＨ調整剤、パール化剤、紫外線吸収剤、酸化防止剤、香料、色素等を、本発明の効果を損なわない範囲で適宜配合することができる。
【００１８】
本発明のビルダーは金属イオン封鎖能を有する無機ビルダーまたは金属イオン封鎖能を有する有機ビルダーが挙げられる。
【００１９】
無機ビルダーとしてはピロリン酸、トリポリリン酸、ヘキサメタリン酸などの縮合リン酸及びそのアルカリ金属塩やゼライトなどが挙げられる。就中、縮合リン酸または縮合リン酸アルカリ金属塩の使用が好適である。
【００２０】
有機ビルダーとしてはグルタミン酸、グリシン、アラニンなどのアミノ酸類、コハク酸、リンゴ酸、クエン酸、シュウ酸、酒石酸、フマル酸、乳酸、グルコン酸などの有機酸及びこれらの有機酸のアルカリ金属塩、エチレンジアミンテトラ酢酸及びそのアルカリ金属塩などが挙げられる。特にリンゴ酸、クエン酸のナトリウム塩やカリウム塩の使用が好適である。
【００２１】
ビルダーの配合割合は、少なすぎると洗浄力に劣り、多すぎると洗浄剤組成物の保存安定性に好ましくない影響を与えるため、好ましくは０．１〜１０重量％であり、より好ましくは１〜６％である。
【００２２】
本発明の可溶化剤は特に限定されるものではないが、１価乃至多価アルコール類、単糖類、２糖類が望ましい。可溶化の観点から、１価乃至多価アルコール類、単糖類、２糖類以外に水を混合してもよい。可溶化剤または水の配合割合は、洗浄剤の温度経時保存安定性の向上や、洗浄剤の増粘、増泡等の観点から、洗浄剤組成物中に好ましくは０．０５〜９５重量部、より好ましくは１〜６０重量部、最も好ましくは５〜３０重量部配合することが望ましい。
【００２３】
本発明の洗浄剤組成物は、これら可溶化剤と併用して、通常の方法に従って製造することができる。また、本発明の洗浄剤組成物は、ｐＨ４〜１１、特にｐＨ５〜１０であることが好ましい。
【００２４】
本発明の洗浄剤組成物は、起泡性、洗浄性、乳化性、可溶化性、分散性に優れた洗浄剤として好適である。本発明の洗浄剤組成物とは台所用洗浄剤、食器洗浄剤、衣料用洗浄剤、工業用洗浄剤などが挙げられ、特に用途限定されるものではない。
【実施例】
【００２５】
以下、実施例を挙げて本発明をさらに具体的に説明するが、本発明がかかる実施例のみに限定されるものではない。
【００２６】
試験例１
表１の処方に基づき洗浄剤組成物を調製し、起泡力試験を行った。
各洗浄剤組成物について、２０倍希釈水溶液を調製し、この溶液１００ｍｌ（液温３０℃）を５００ｍｌメスシリンダーに注入した。ついで撹拌羽根を上記溶液中に設置し、１０００ｒｐｍの回転数で１分間撹拌した。その後生じた泡の体積（ｍｌ）を測定し泡立ち量とした。
【００２７】
【表１】
2006348084.tif 000002
【００２８】
【表２】
2006348084.tif 000003
【００２９】
＜起泡性＞
◎：泡立ち３００ｍｌ以上
○：泡立ち２５０ｍｌ以上３００ｍｌ未満
△：泡立ち２００ｍｌ以上２５０ｍｌ未満
×：泡立ち２００ｍｌ未満
なお、◎および○を合格品とする。
【００３０】
表２より、ポリグリセリンアルキルエーテルを用いた洗浄剤組成物が優れた起泡力を有することは明らかである。
【００３１】
試験例２
洗浄用汚巧として
表３の処方に基づき洗浄剤組成物を調製し、洗浄力試験を行った。
【００３２】
各洗浄剤組成物の０．２％水溶液７００ｍｌ（液温３０℃）に、人工汚巧を付着させた平面２０ｃｍ２のガラス板を専用台にセットして沈め、攪拌羽を回転数２５０ｒｐｍで３分間回転させた。回転終了後ガラス板を取り出し、乾燥させた後の重量を測定し、下記算出式を用いて洗浄率を算出した。
【００３３】
洗浄率＝｛（洗浄前の重量−洗浄後の重量）／  洗浄前の重量｝×１００％
【００３４】
【表３】
2006348084.tif 000004
【００３５】
【表４】
2006348084.tif 000005
【００３６】
＜洗浄性＞
◎：洗浄力９５％以上
○：洗浄力８５％以上９５％未満
△：洗浄力５０％以上８５％未満
×：洗浄力５０％未満
なお、◎および○を合格品とする。
【００３７】
表４より、ポリグリセリンアルキルエーテルを用いた洗浄剤組成物が優れた洗浄力を有することは明らかである。更にビルダーを配合することで、より高い洗浄力を有することは明らかである。
【００３８】
試験例３
表５の処方に基づき洗浄剤組成物を調製し、経時保存安定性試験を行った。
調製した洗浄剤組成物を５℃、２５℃、４０℃に保存し、目視にて安定性を確認した。
【００３９】
【表５】
2006348084.tif 000006
【００４０】
＜洗浄性＞
○：結晶析出なし
×：結晶析出あり
なお、○を合格品とする。
【００４１】
表５より、ポリグリセリンアルキルエーテルを用いた洗浄剤組成物は、可溶化剤を配合することで、経時保存安定性が向上することは明らかである。
【００４２】
上記実施例で証明した様に本発明によれば、構成するポリグリセリンの重合度が２〜３０であるポリグリセリンアルキルエーテルを含有する洗浄剤組成物は優れた起泡力と洗浄力を有し、洗浄剤分野で今まで不可能であった高い起泡力と洗浄力を付与した洗浄剤組成物の製造が可能となることは明白である。
【産業上の利用可能性】
【００４３】
本発明のポリグリセリンアルキルエーテルは、起泡力と洗浄力を必要とする洗浄剤の分野で有効に利用される。